(57)【要約】【課題】簡単な組立工程を可能にするコネクタを提供すること。【解決手段】コネクタ１は、相手方コネクタに接続可能であって、長手軸５に平行に延長する複数の第１収容室３と複数の第２収容室４が設けられたハウジング２を備える。第１収容室３は、電線１５に接続された接触要素１４を収容するように働く。ハウジング２は、その後側６に、第１収容室３と第２収容室４の複数の開口８，９を備える。少なくとも一つのマットシール１８，１９がハウジング２の後側６に支持され、当該少なくとも一つのマットシール１８，１９が開口８，９に位置合わせされた複数のアパーチャ２０，２１を備える。第２収容室４には複数のシール要素１６が設けられている。シール要素１６は、各々、第２収容室４の開口９からハウジング２の後側６を越えて突出し且つ少なくとも一つのマットシール１８，１９のアパーチャ２０，２１の一つの中に封止的に配置されるシール部１７を備えている。【選択図】図２
2008021648.tif 000002
【特許請求の範囲】
【請求項１】
相手方コネクタに接続可能なコネクタ（１）であって、長手軸（５）に平行に延長する複数の第１収容室と第２収容室（３，４）が設けられたハウジング（２）を備え、
前記複数の第１収容室（３）は、電線（１５）に接続された接触要素（１４）を収容するように働き、
前記ハウジング（２）は、その後側（６）に、前記複数の第１収容室と第２収容室（３，４）の複数の開口（８，９）を備え、
少なくとも一つのマットシール（１８，１９）が前記ハウジング（２）の後側（６）に支持され、当該少なくとも一つのマットシール（１８，１９）が前記複数の開口（８，９）に位置合わせされた複数のアパーチャ（２０，２１）を備え、
前記複数の第２収容室（４）には複数のシール要素（１６）が設けられており、
前記シール要素（１６）が、各々、前記第２収容室（４）の開口（９）から前記ハウジング（２）の後側（６）を越えて突出し且つ前記少なくとも一つのマットシール（１８，１９）のアパーチャ（２０，２１）の一つの中に封止的に配置されるシール部（１７）を備えていることを特徴とするコネクタ（１）。
【発明の詳細な説明】
【技術分野】
【０００１】
本発明は、相手方コネクタに接続可能であって、長手軸に平行に延長する複数の第１収容室と第２収容室が設けられたハウジングを備え、前記複数の第１収容室が、電線に接続された接触要素を収容するように働き、前記ハウジングが、その後側に、前記複数の第１収容室と第２収容室の複数の開口を備え、少なくとも一つのマットシールが前記ハウジングの後側に支持され、そして当該少なくとも一つのマットシールが前記複数の開口に位置合わせされた複数のアパーチャを備えているコネクタに関する。
【背景技術】
【０００２】
そのようなコネクタが特許文献１に示されている。マットシールは、ハウジングの後側に抗して支持されるようにマットシールホルダにより保持されている。そのマットシールホルダは、ハウジングの後側から離れて該後側とは反対側に面するマットシールの面に抗して支持される。マットシールホルダは、マットシールを囲む複数の固定アームを備える。それら固定アームはハウジングのロック突起の後方に延長する。このようにマットシールホルダはハウジングに固定されている。マットシールはハウジングとマットシールホルダとの間に配置され且つ保持されている。マットシールホルダは、マットシールのアパーチャに位置合わせされたアパーチャを備える。接触要素の電線は、マットシールのアパーチャおよびマットシールホルダのアパーチャを通って収容室の外に案内される。
【０００３】
種々のコネクタは一般には異なる構成を備えるので、即ち、構成によっては、コネクタは異なる収容室に異なる数の接触要素を備えるので、全ての収容室に接触要素が設けられるとは限らない。そのような場合、接触要素が設けられていない収容室をシールする必要がある。接触要素が設けられていない収容室の領域に何らアパーチャを持たない、構成毎に異なる、マットシールを設けねばならないことを避けるため、特許文献１では、マットシールホルダのアパーチャを閉塞し且つマットシールのアパーチャ内に突出する複数のシール突起をマットシールホルダに設けることが提案されている。それらシール突起は、マットシールホルダ上に形成され、且つ治具により除去可能となっている。これらのシール突起は、接触要素が設けられた収容室に位置合わせされるアパーチャから除去される。このために、シール突起は、接触要素の電線がマットシールホルダのアパーチャを通って案内されるように、治具により破壊される。
【０００４】
こういった解決の仕方の短所としては、組み立ての間、不要なシール突起を予め全て破壊および除去せねばならないことである。
【０００５】
【特許文献１】米国特許第４９４４６８８号明細書
【発明の開示】
【発明が解決しようとする課題】
【０００６】
本発明は、上述した事情に鑑みてなされたものであり、その目的は、簡単な組立工程を可能にするコネクタを提供することにある。
【課題を解決するための手段】
【０００７】
前述した目的を達成するために、本発明に係るコネクタは、下記（Ｉ）〜（ＩＶ）を特徴としている。
（Ｉ）  相手方コネクタに接続可能なコネクタであって、長手軸に平行に延長する複数の第１収容室と第２収容室が設けられたハウジングを備え、
前記複数の第１収容室は、電線に接続された接触要素を収容するように働き、
前記ハウジングは、その後側に、前記複数の第１収容室と第２収容室の複数の開口を備え、
少なくとも一つのマットシールが前記ハウジングの後側に支持され、当該少なくとも一つのマットシールが前記複数の開口に位置合わせされた複数のアパーチャを備え、
前記複数の第２収容室には複数のシール要素が設けられており、
前記シール要素が、各々、前記第２収容室の開口から前記ハウジングの後側を越えて突出し且つ前記少なくとも一つのマットシールのアパーチャの一つの中に封止的に配置されるシール部を備えていること。
（ＩＩ）  上記（Ｉ）の構成のコネクタが、前記ハウジングの後側に取り外し自在に固定された少なくとも一つのマットシールホルダを更に備え、
前記少なくとも一つのマットシールは、前記ハウジングと前記少なくとも一つのマットシールホルダとの間に保持され、そして
前記少なくとも一つのマットシールホルダは、前記少なくとも一つのマットシールのアパーチャに位置合わせされたアパーチャを備えること。
（ＩＩＩ）  上記（Ｉ）または（ＩＩ）の構成のコネクタが、前記ハウジングでロック位置と解放位置との間を動くことが可能な少なくとも一つの二次ロック要素を更に備え、そして
当該少なくとも一つの二次ロック要素が、前記ロック位置において、前記複数の第１収容室と第２収容室のうち少なくとも一つの中に一つのロック突起を突出させていること。
（ＩＶ）  上記（ＩＩＩ）の構成のコネクタにおいて、
前記シール要素は、各々、前記複数の第２収容室それぞれから引き出されることを防ぐ目的で前記少なくとも一つの二次ロック要素の少なくとも一つのロック突起に抗して前記シール要素を支持するロック面を備えていること。
【０００８】
このように、本発明のコネクタでは、複数の第２収容室に複数のシール要素が設けられており、当該シール要素は、各々、第２収容室の開口からハウジングの後側を越えて突出し且つ少なくとも一つのマットシールのアパーチャの一つの中に封止的に配置されるシール部を備えている。
【０００９】
第１収容室、即ち、全ての収容室のうちの第１の部分的な数の収容室には、接触要素が設けられ、そして第２収容室、即ち、全ての収容室のうちの第２の部分的な数の収容室には、シール要素が設けられている。当該シール要素は、ハウジングの後側を越えて突出し且つマットシールのアパーチャの中に位置するので、各構成に対して同じマットシールを使用することができる。
【００１０】
異なる構成の適応を可能にする治具等は必要とされない。それどころか、シール要素を収容室に設けることは、接触要素を設けるために要求される処理工程と同じである。このように、組立工程を変更する必要がない。
【００１１】
また、本発明のコネクタでは、ハウジングで少なくとも一つのマットシールを保持可能なように、少なくとも一つのマットシールホルダがハウジングの後側に取り外し自在に固定されている。少なくとも一つのマットシールは、ハウジングと少なくとも一つのマットシールホルダとの間に保持される。少なくとも一つのマットシールホルダは、少なくとも一つのマットシールのアパーチャに位置合わせされたアパーチャを備える。各構成に対して、同じマットシールホルダを使用することが可能になっている。
【００１２】
好ましい実施形態によれば、ハウジングでロック位置と解放位置との間を動くことが可能な少なくとも一つの二次ロック要素を設けることが提案されている。当該少なくとも一つの二次ロック要素は、前記ロック位置において、複数の第１収容室と第２収容室のうち少なくとも一つの中に一つのロック突起を突出させている。
【００１３】
複数の接触要素が複数の収容室から引き出されることが二次ロック要素によって阻止される。二次ロック要素は、ハウジングでロック位置と解放位置との間を動くことが可能なようにハウジングに取り付けられる。一つまたはそれ以上の二次ロック要素を設けることもできる。例えば、二次ロック要素は、ハウジングに摺動自在に案内されるか、またはハウジングに揺動自在に取り付けられる。二次ロック要素は、前記ロック位置において、幾つかの収容室の中に同時に突出するロック突起を備えることもできる。収容室の長手方向の延長を基準にして、ロック突起は、前記長手方向の延長に対して横方向に収容室に該収容室の二端の間で係合する。通常、接触要素は、収容室から引き出されそうになったとき、二次ロック要素の少なくとも一つのロック突起に抗して、接触要素を支持するロック面を備えている。
【００１４】
好ましい実施形態によれば、シール要素は、接触要素を固定するのに用いられるものと同じ二次ロック要素によって、固定される。この目的で、シール要素は、各々、収容室それぞれから引き出されることに抗してシール要素を固定する目的で少なくとも一つの二次ロック要素のロック突起に抗してシール要素を支持するロック面を備えている。
【発明の効果】
【００１５】
本発明によれば、簡単な組立工程を可能にするコネクタを提供できる。
【発明を実施するための最良の形態】
【００１６】
以下、本発明に係る好適な実施形態を図面を参照しながら詳細に説明する。
【００１７】
図１は本発明に係るコネクタの斜視図である。図２は図１のコネクタの長手方向の断面図である。図１および図２を纏めて以下に説明する。
【００１８】
コネクタ１は、互いに同一である複数の第１収容室３および複数の第２収容室４が設けられたハウジング２を備える。第１収容室３および第２収容室４は、相手方コネクタ（不図示）にコネクタ１が接続する長手軸５の方向に平行に延長するように配置されている。
【００１９】
ハウジング２は、互いに反対を向く後側６および前側７を備える。この後側６には、第１収容室３に通じる複数の第１後側開口８が設けられるとともに、第２収容室４に通じる複数の第２後側開口９が設けられている。長手軸５に対して垂直な断面視において、第１後側開口８および第２後側開口９は、第１収容室３および第２収容室４と同じ形で且つ同じサイズを有している。
【００２０】
前側７には、第１収容室３に通じる複数の第１前側開口１０が設けられるとともに、第２収容室４に通じる複数の第２前側開口１１が設けられている。断面視において、第１前側開口１０が連続的に内側に傾斜する第１支持面１２を形成し、そして第２前側開口１１が連続的に内側に傾斜する第２支持面１３を形成しているように、第１前側開口１０および第２前側開口１１は第１収容室３および第２収容室４よりも小さい。
【００２１】
第１収容室３には複数の接触要素（即ち、導電金属製の端子）１４が配置される。これら接触要素１４は、後側６から第１後側開口８を通って第１収容室３内に挿入される。ハウジング２の後側６に向かう接触要素１４の端部は、第１収容室３から第１後側開口８それぞれの外に案内される電線１５にそれぞれ接続されている。ハウジング２の前側７に向かって接触要素１４は第１支持面１２に抗して支持される。なぜならば、接触要素１４の前側７に向かう端部が、第１前側開口１０よりも大きな断面を有しているからである。
【００２２】
第２収容室４には複数のシール要素１６が位置決めされる。これらシール要素１６は、それらのシール部１７が、それぞれ第２収容室４から第２後側開口９を通って突出する。前側７に向かってシール要素１６は第２支持面１３に抗して支持される。なぜならば、シール要素１６の前側７に向かう端部が、第２前側開口１１よりも大きな断面を有しているからである。
【００２３】
後側６では、２つのマットシール（即ち、シール部材）１８，１９がハウジング２に抗して支持されている。第１収容室３の各々につき、マットシール１８は一つのアパーチャ（穴）２０を備える。第２収容室４の各々につき、マットシール１９は一つのアパーチャ（穴）２１を備える。アパーチャ２０は第１後側開口８それぞれと位置合わせされており、そしてアパーチャ２１は第２後側開口９それぞれと位置合わせされている。第１収容室３および第２収容室４をシールする目的で、マットシール１８，１９はハウジング２の後側６に抗して封止的に支持される。その上、複数の電線１５は、アパーチャ２０，２１のうちの第１の部分的な数のアパーチャをそれぞれ通って封止的に案内される。加えて、複数のシール要素１６のシール部１７は、アパーチャ２０，２１のうちの第２の部分的な数のアパーチャ内に突出するとともに封止的に配置される。そのため、シール部１７の断面は、電線１５と略同じ形および電線１５と略同じサイズを有する。
【００２４】
ハウジング２の後側６上には、ハウジング２に接続されたマットシールホルダ２２が設けられている。マットシールホルダ２２は、複数の固定アーム２３によって、ハウジング２の複数の固定突起２４の後に係合し、且つハウジング２に取り外し自在に接続される。マットシール１８，１９は、マットシールホルダ２２とハウジング２の後側６との間に配置されるとともに保持される。マットシールホルダ２２には、マットシール１８，１９のアパーチャ２０，２１の各々につき、一つのアパーチャ（穴）２５が設けられている。アパーチャ２５は、マットシール１８，１９のアパーチャ２０，２１にそれぞれ位置合わせされ、それにより電線１５がマットシールホルダ２２のアパーチャ２５を通って案内される。
【００２５】
接触要素１４およびシール要素１６は、二次ロック要素２６によって、第１収容室３および第２収容室４から引き出されることに抗して固定される。接触要素１４のロックおよびシール要素１６のロックは図４に特に明らかに示されており、そしてシール要素１６の詳細な形状が図３に示されている。
【００２６】
二次ロック要素２６は、羊毛や綿等を梳く道具（combe）のような形を持っており、第１アーム２７、第２アーム２８、および第３アーム２９を有している。これら第１アーム２７、第２アーム２８、および第３アーム２９によって、二次ロック要素２６は、ハウジング２内の案内凹部３０，３１，４０に対応するようなデザイン（設計）であって、ハウジング２で長手軸５に交差する方向に変位自在なようにハウジング２内を案内される。二次ロック要素２６は、案内凹部３０，３１，４０から引き出されて外れた解放位置と案内凹部３０，３１，４０内に押し込まれたロック位置との間を変位自在である。第１アーム２７は、二次ロック要素２６の変位軸３２に沿って延長する第１ロック突起（突条）３３を備える。二次ロック要素２６がそのロック位置にあるとき、第１ロック突起３３は、収容室３，４のうちの第１の部分的な数の収容室内に部分的に交差するように延長する。第２アーム２８は、第２収容室４のうちの第２の部分的な数の収容室内に突出する第２ロック突起（突条）３４を備える。その上、第２アーム２８は、二次ロック要素２６のロック位置において、収容室３，４のうちの第３の部分的な数の収容室内に突出する第３ロック突起（突条）３５を備える。第３アーム２９に設けられた第４ロック突起（突条）３６は、第１収容室３のうちの第４の部分的な数の収容室内に突出する。長手方向の断面を示す図２は、どのように第４ロック突起３６が第１収容室３内に突出し且つ第１収容室３を断面視で狭めるかを示している。第４ロック突起３６の領域において、接触要素１４は、より幅狭になっており、且つ第４ロック突起３６に向かって尖るロック面３７を備えている。そして、第１収容室３から外に接触要素１４を引き出そうとすると、ロック面３７は第４ロック突起３６に抗して支持され、このように接触要素１４の引き抜きが阻止される。
【００２７】
同様に、どのように第２ロック突起３４が第２収容室４内に突出するかについても図から分かる。シール要素１６は、第２ロック突起３４の領域にロック凹部３８を備える。第２ロック突起３４に向かって尖るロック面３９が形成されたロック凹部３８は、第２収容室４から外にシール要素１６を引き出そうとすると、第２ロック突起３４に抗して支持され、このようにシール要素１６の引き抜きが阻止される。
【００２８】
ここで、上述した本発明のコネクタの特徴それぞれを以下ｉ項〜ｉｖ項に簡潔に纏めて列記する。
【００２９】
［ｉ］  相手方コネクタに接続可能なコネクタ（１）であって、長手軸（５）に平行に延長する複数の第１収容室と第２収容室（３，４）が設けられたハウジング（２）を備え、
前記複数の第１収容室（３）は、電線（１５）に接続された接触要素（１４）を収容するように働き、
前記ハウジング（２）は、その後側（６）に、前記複数の第１収容室と第２収容室（３，４）の複数の開口（８，９）を備え、
少なくとも一つのマットシール（１８，１９）が前記ハウジング（２）の後側（６）に支持され、当該少なくとも一つのマットシール（１８，１９）が前記複数の開口（８，９）に位置合わせされた複数のアパーチャ（２０，２１）を備え、
前記複数の第２収容室（４）には複数のシール要素（１６）が設けられており、
前記シール要素（１６）が、各々、前記第２収容室（４）の開口（９）から前記ハウジング（２）の後側（６）を越えて突出し且つ前記少なくとも一つのマットシール（１８，１９）のアパーチャ（２０，２１）の一つの中に封止的に配置されるシール部（１７）を備えていることを特徴とするコネクタ（１）。
【００３０】
［ｉｉ］  上記［ｉ］のコネクタ（１）が、前記ハウジング（２）の後側（６）に取り外し自在に固定された少なくとも一つのマットシールホルダ（２２）を更に備え、
前記少なくとも一つのマットシール（１８，１９）は、前記ハウジング（２）と前記少なくとも一つのマットシールホルダ（２２）との間に保持され、そして
前記少なくとも一つのマットシールホルダ（２２）は、前記少なくとも一つのマットシール（１８，１９）のアパーチャ（２０，２１）に位置合わせされたアパーチャ（２５）を備えることを特徴とするコネクタ（１）。
【００３１】
［ｉｉｉ］  上記［ｉ］または［ｉｉ］のコネクタ（１）が、前記ハウジング（２）でロック位置と解放位置との間を動くことが可能な少なくとも一つの二次ロック要素（２６）を更に備え、そして
当該少なくとも一つの二次ロック要素（２６）が、前記ロック位置において、前記複数の第１収容室と第２収容室（３，４）のうち少なくとも一つの中に一つのロック突起（３３，３４，３５，３６）を突出させていることを特徴とするコネクタ（１）。
【００３２】
［ｉｖ］  上記［ｉｉｉ］のコネクタ（１）であって、
前記シール要素（１６）は、各々、前記複数の第２収容室（４）それぞれから引き出されることを防ぐ目的で前記少なくとも一つの二次ロック要素（２６）の少なくとも一つのロック突起（３４）に抗して前記シール要素（１６）を支持するロック面（３９）を備えていることを特徴とするコネクタ（１）。
【図面の簡単な説明】
【００３３】
【図１】本発明に係るコネクタの斜視図である。
【図２】接触要素が設けられた第１収容室およびシール要素が設けられた第２収容室を有する図１のコネクタの長手方向の断面図である。
【図３】本発明に係るシール要素の斜視図である。
【図４】２つのマットシールの、シール要素の、接触要素の、そして二次ロック要素の斜視図である。
【符号の説明】
【００３４】
１：コネクタ
２：ハウジング
３：第１収容室
４：第２収容室
５：長手軸
６：後側
７：前側
８：第１後側開口
９：第２後側開口
１０：第１前側開口
１１：第２前側開口
１２：第１支持面
１３：第２支持面
１４：接触要素
１５：電線
１６：シール要素
１７：シール部
１８：マットシール
１９：マットシール
２０：アパーチャ
２１：アパーチャ
２２：マットシールホルダ
２３：固定アーム
２４：固定突起
２５：アパーチャ
２６：二次ロック要素
２７：第１アーム
２８：第２アーム
２９：第３アーム
３０：案内凹部
３１：案内凹部
３２：変位軸
３３：第１ロック突起
３４：第２ロック突起
３５：第３ロック突起
３６：第４ロック突起
３７：ロック面
３８：ロック凹部
３９：ロック面
４０：案内凹面
【図１】
2008021648.tif 000003
【図２】
2008021648.tif 000004
【図３】
2008021648.tif 000005
【図４】
2008021648.tif 000006